(57)【要約】      （修正有）【課題】肉厚の厚い肉厚排水管が接続されても、排水を円滑に流すことができる排水桝を提供する。【解決手段】上流側の接続口１１と下流側の接続口１２とを備え、各接続口１１，１２の端部に、この接続口本体１１ａ，１２ａの内筒よりも径が大きい内筒を有するソケット部１１ｂ，１２ｂが形成された排水桝１において、下流側の接続口１２のソケット部１２ｂの内筒を、当該接続口本体１２ａの内筒よりも下方に偏心させて形成する。【選択図】図１
2008208540.tif 000002
【特許請求の範囲】
【請求項１】
１以上の上流側の接続口と１つの下流側の接続口とを備え、各接続口の端部に、この接続口本体の内筒よりも径が大きい内筒を有するソケット部が形成された排水桝において、
下流側の接続口のソケット部の内筒を、当該接続口本体の内筒よりも下方に偏心させて形成したことを特徴とする排水桝。
【請求項２】
前記排水桝が上流側の接続口から下流側の接続口にかけて流れ勾配が付けられたものであることを特徴とする請求項１に記載の排水桝。
【発明の詳細な説明】
【技術分野】
【０００１】
本発明は、接続口に排水管を接続して地中に埋設することにより排水管路とする排水桝に関するものである。
【背景技術】
【０００２】
図４に従来の排水桝１を示す。この排水桝１は、図５に示すように、排水主溝が直線状のストレート桝で、左右の接続口１１，１２にそれぞれ肉薄排水管２，３を接続することにより、例えば上流側の肉薄排水管２から下流側の肉薄排水管３に排水を流す排水管路を形成する。
【０００３】
上記従来の排水桝１の接続口１１，１２は、端部に、これらの接続口本体１１ａ，１２ａの内筒よりも径が大きい同心状の内筒を有するソケット部１１ｂ，１２ｂが形成されていた（例えば、特許文献１参照。）。そして、これらのソケット部１１ｂ，１２ｂの内筒に肉薄排水管２，３の外筒が嵌入されて接続されることになる。
【０００４】
ここで、排水管路の排水管は、肉厚の薄い肉薄排水管２，３（ＶＵ管）の他に、肉厚の厚い肉厚排水管４，５（ＶＰ管）等も用いられることがある。そして、図５に示す排水桝１は、肉厚の薄い肉薄排水管２，３用のものであるため、接続口１１，１２における接続口本体１１ａ，１２ａの内筒の半径とソケット部１１ｂ，１２ｂの内筒の半径との差を、この肉薄排水管２，３の肉厚と等しくすることにより、接続された肉薄排水管２，３の内筒の底の高さと接続口本体１１ａ，１２ａの内筒の底の高さとが一致するようにして、排水の流れが遮られることのないようにしている。
【０００５】
ところが、図６に示すように、上記排水桝１に、肉厚の厚い肉厚排水管４，５が接続されると、外径は肉薄排水管２，３と同じでも、肉厚の厚い分だけ内径が小さくなるので、これらの肉厚排水管４，５の内筒の底の高さが、接続口本体１１ａ，１２ａの内筒の底の高さよりも高くなり、下流側の肉厚排水管５の入り口で上り段差が生じて排水の流れが遮られることになるという問題があった。
【特許文献１】特開平９−１５１５２９号公報（第２図）
【発明の開示】
【発明が解決しようとする課題】
【０００６】
本発明は、下流側の接続口のソケット部の内筒を接続口本体の内筒よりも下方に偏心させることにより、肉厚の厚い接続管が接続されても、この接続管の内筒の底の高さが接続口本体の内筒の底の高さよりも高くならないような排水桝を提供しようとするものである。
【課題を解決するための手段】
【０００７】
請求項１の発明は、１以上の上流側の接続口と１つの下流側の接続口とを備え、各接続口の端部に、この接続口本体の内筒よりも径が大きい内筒を有するソケット部が形成された排水桝において、下流側の接続口のソケット部の内筒を、当該接続口本体の内筒よりも下方に偏心させて形成したことを特徴とする。
【０００８】
請求項２の発明は、前記排水桝が上流側の接続口から下流側の接続口にかけて流れ勾配が付けられたものであることを特徴とする。
【発明の効果】
【０００９】
請求項１の発明によれば、下流側の接続口のソケット部の内筒を下方に偏心させるので、接続口本体の内筒の半径よりも、この偏心量以下の差だけ内筒の半径が小さい接続管を接続した場合に、この接続管の内筒の底の高さが、接続口本体の内筒の底の高さより高くなることがなく、排水を円滑に流すことができるようになる。従って、ソケット部の偏心量が大きくなるほど、より肉厚の厚い接続管が接続できるようになり、各種の肉厚の接続管が利用できるようになる。なお、上流側の接続口には、所定以上の肉厚の接続管を接続しても下り段差が生じるにすぎないので肉厚の接続管が利用可能である。
【００１０】
ここで、接続口が上流側か下流側かは、予め決めておけばよい。ただし、このように接続口が上流側か下流側かを決められていると、例えば曲がり管等では、左右の曲がりを１種類の排水桝で兼用することができないようになる。
【００１１】
請求項２の発明によれば、排水桝に流れ勾配が付けられていて、各接続口が上流側か下流側かは、勾配の方向に従って自動的に決められているので、下流側の接続口のソケット部の内筒を下方に偏心させることにより、上流側と下流側の使用上の制限が新たに追加されるということがなくなる。
【発明を実施するための最良の形態】
【００１２】
以下、本発明の最良の実施形態について図１〜図３を参照して説明する。なお、これらの図においても、図４〜図６に示した従来例と同様の機能を有する構成部材には同じ番号を付記する。
【００１３】
図１に示す本実施形態の排水桝１は、従来例と同様に、流れ勾配の付かないストレート桝について説明する。この排水桝１は、ポリ塩化ビニル等の樹脂からなり、本体下部の半円筒状の排水主溝１３の両端部に筒状の接続口１１，１２が設けられている。また、この排水主溝１３の上方には、図示しない高さ調節筒を接続するための上部接続口１４が設けられている。
【００１４】
本実施形態の排水桝１は、接続口１１が上流側であり、接続口１２が下流側であると決められている。これらの接続口１１，１２は、底の高さが排水主溝１３と一致する内筒が形成された接続口本体１１ａ，１２ａと、さらにその端部に形成された、当該接続口本体１１ａ，１２ａの内筒よりも径の大きい内筒を有するソケット部１１ｂ，１２ｂとからなる。そして、図１では、ソケット部１１ｂ，１２ｂの内筒に、肉厚の厚い肉厚排水管４，５の外筒が嵌入されて接続されている。
【００１５】
上流側の接続口１１の接続口本体１１ａの内筒とソケット部１１ｂの内筒は、図５に示した従来例と同様に同心状であるが、下流側の接続口１２の接続口本体１２ａの内筒とソケット部１２ｂの内筒は、同心状ではなく、ソケット部１１ｂ，１２ｂの内筒の方が下方に偏心して形成されている。しかも、このソケット部１２ｂの下方への偏心量は、接続口本体１２ａの内筒の半径と肉厚排水管５の内筒の半径との差に等しくなっている。
【００１６】
従って、上流側の接続口１１に接続される肉厚排水管４の内筒の底の高さは、接続口本体１１ａの内筒の底の高さよりも高くなって、図６に示した従来例と同様に、この肉厚排水管４の出口に下り段差が生じる。しかし、下流側の接続口１２では、ソケット部１２ｂの内筒の底の高さが、接続口本体１２ａの内筒の底の高さよりも、肉厚排水管５の肉厚分だけ低くなるので、この肉厚排水管５の内筒の底の高さが接続口本体１２ａの内筒の底の高さと一致することになる。
【００１７】
上記構成によれば、下流側の接続口１２のソケット部１２ｂに接続した肉厚の厚い肉厚排水管５の内筒の底の高さが、接続口本体１２ａの内筒の底の高さと一致するので、この肉厚排水管５の入り口に上り段差が生じて排水の流れが遮られるということがなくなり、この排水を円滑に流すことができるようになる。なお、上流側の接続口１１では、従来例と同様に、肉厚排水管４の内筒の底の高さが、接続口本体１１ａの内筒の底の高さより高くなるが、この肉厚排水管５の出口に下り段差が生じるにすぎないので、排水の流れが遮られることはない。
【００１８】
しかも、この排水桝１の接続口１１，１２には、肉厚排水管４，５と外径が同じで、肉厚がより薄い例えば図５に示した肉薄排水管２，３を接続することもできる。この場合も、下流側の接続口１２では、肉薄排水管３の内筒の底の高さが接続口本体１２ａの内筒の底の高さより低くなって、この肉薄排水管３の入り口に下り段差が生じ、上流側の接続口１１では、従来例と同様に、肉薄排水管２の内筒の底の高さが接続口本体１１ａの内筒の底の高さと一致するので、排水を円滑に流すことができる。
【００１９】
また、この排水桝１の接続口１１，１２に、肉薄排水管２，３よりは肉厚が厚く、肉厚排水管４，５よりは肉厚が薄い排水管が接続されても、上流側の接続口１１の排水管の出口と下流側の接続口１２の排水管の入り口が共に下り段差となるので、排水を円滑に流すことができる。
【００２０】
ただし、この排水桝１は、接続口１１を必ず上流側として使用し、接続口１２を必ず下流側として使用しなければならない。
【００２１】
なお、上記実施形態では、流れ勾配の付かない排水桝１について説明したが、図２に流れ勾配の付いた排水桝１を示す。この排水桝１では、接続口１１から排水主溝１３を介した接続口１２にかけて、徐々に内筒の底が低くなる流れ勾配が付けられている。従って、この排水桝１では、もともと接続口１１は上流側であり、接続口１２は下流側として定まるので、使用上の制限が新たに追加される訳ではない。
【００２２】
上記流れ勾配の付いた排水桝１では、上流側の接続口１１は、図５に示した従来例の接続口１１と同様に、ソケット部１１ｂの内筒が接続口本体１１ａの内筒と同心状に形成されて、勾配が付けられている。そして、下流側の接続口１２は、図１に示した接続口１１と同様に、ソケット部１１ｂの内筒が接続口本体１１ａの内筒よりも下方に偏心して形成されて、勾配が付けられている。
【００２３】
上記流れ勾配の付いた排水桝１の接続口１１，１２に、図２に示すように、肉厚の厚い肉厚排水管４，５が接続されると、上流側の接続口１１では肉厚排水管４の出口が下り段差となり、下流側の接続口１２では肉厚排水管５の入り口に段差が生じないので、排水を円滑に流すことができるようになる。また、この排水桝１の接続口１１，１２に、図３に示すように、肉厚の薄い肉薄排水管２，３が接続された場合であっても、上流側の接続口１１では肉薄排水管２の出口に段差がなくなり、下流側の接続口１２では肉薄排水管３の入り口が下り段差となるので、排水を円滑に流すことができるようになる。さらに、この排水桝１の接続口１１，１２に、肉薄排水管２，３よりは肉厚が厚く、肉厚排水管４，５よりは肉厚が薄い排水管が接続されても、上流側の接続口１１の排水管の出口と下流側の接続口１２の排水管の入り口が共に下り段差となるので、排水を円滑に流すことができるようになる。
【００２４】
また、上記実施形態では、排水主溝１３が直線状の排水桝１について説明したが、一対の接続口１１，１２が直線上に配置されない曲がり桝等の排水桝１についても同様に実施可能である。さらに、この排水桝１は、２以上の上流側の接続口と１つの下流側の接続口とを備えた合流管であっても同様に実施可能である。
【００２５】
また、上記実施形態では、主に肉厚の厚い肉厚排水管４，５や肉厚の薄い肉薄排水管２，３を用いる場合を示したが、排水管の肉厚についてはこれらに限定されるものではなく、ソケット部の偏心量を大きくすれば、より肉厚の厚い排水管を用いることもできる。
【図面の簡単な説明】
【００２６】
【図１】本発明の一実施形態を示すものであって、排水桝の縦断面図である。
【図２】本発明の一実施形態を示すものであって、流れ勾配を付けた排水桝の縦断面図である。
【図３】本発明の一実施形態を示すものであって、流れ勾配を付けた排水桝に肉薄排水管を接続した場合の縦断面図である。
【図４】従来例を示すものであって、排水桝の全体斜視図である。
【図５】従来例を示すものであって、排水桝の縦断面図である。
【図６】従来例を示すものであって、排水桝の接続口に肉厚の厚い排水管を接続したときの縦断面図である。
【符号の説明】
【００２７】
１      排水桝
１１    接続口
１１ａ  接続口本体
１１ｂ  ソケット部
１２    接続口
１２ａ  接続口本体
１２ｂ  ソケット部
１３    排水主溝
１４    上部接続口
２      肉薄排水管
３      肉薄排水管
４      肉厚排水管
５      肉厚排水管
【図１】
2008208540.tif 000003
【図２】
2008208540.tif 000004
【図３】
2008208540.tif 000005
【図４】
2008208540.tif 000006
【図５】
2008208540.tif 000007
【図６】
2008208540.tif 000008